(57)【要約】【課題】  打球音が減衰しやすいゴルフクラブヘッドを提供するにあたり、樹脂プレートの剥がれ、樹脂プレートに生ずる亀裂・ひび割れを生じ難くする。【解決手段】  フェイス部における打球部３の厚みが１．０ｍｍ以上２．５ｍｍ以下のゴルフクラブヘッド１であって、打球部３の裏面４に、厚みの最大値が２．５ｍｍ以上１０ｍｍ以下である少なくとも１枚の樹脂プレート５を取り付けたゴルフクラブヘッド１において、打球部３の裏面４に樹脂プレート５を、厚みが１．０ｍｍ以上３．０ｍｍ以下の両面テープ６で取り付ける。【選択図】          図２
2008125811.tif 000002
【特許請求の範囲】
【請求項１】
フェイス部における打球部の厚みが１．０ｍｍ以上２．５ｍｍ以下のゴルフクラブヘッドであって、
前記打球部の裏面に、厚みの最大値が２．５ｍｍ以上１０ｍｍ以下である少なくとも１枚の樹脂プレートを取り付けたゴルフクラブヘッドにおいて、
前記打球部の裏面に前記樹脂プレートを、厚みが１．０ｍｍ以上３．０ｍｍ以下の両面テープで取り付けたゴルフクラブヘッド。
【請求項２】
前記両面テープは、複数毎を重ねたものである請求項１に記載のゴルフクラブヘッド。
【請求項３】
前記樹脂プレートは、前記打球部の裏面に、両面テープ及び接着剤で取り付けた請求項１または請求項２に記載のゴルフクラブヘッド。
【請求項４】
前記両面テープの平面形状は、前記樹脂プレートの周縁が形成する平面形状よりも３．０ｍｍ〜５．０ｍｍ小さい大きさである請求項１から請求項３のいずれか１項に記載のゴルフクラブヘッド。
【請求項５】
前記樹脂プレート裏面に凹部を設け、該凹部の深さを前記両面テープの厚みの９０％以下とした請求項４記載のゴルフクラブヘッド。
【請求項６】
前記樹脂プレート裏面に凸部を設け、該凸部が打球部裏面の凹部に嵌合するようにした請求項１から請求項５のいずれか１項に記載のゴルフクラブヘッド。
【発明の詳細な説明】
【技術分野】
【０００１】
本発明は、ゴルフクラブヘッドに関する。
【背景技術】
【０００２】
ゴルフクラブヘッドにおいて、打球部を有するフェイス部の厚みを薄くする（たとえば３．０ｍｍ以下程度にする）ことが従来から行なわれている。
【０００３】
フェイス部を薄肉にすることにより、打球時にフェイス部がたわみやすくなる。これにより、反発係数が向上し、飛距離が伸びるという効果がある。
【０００４】
また、従来から、たとえばアイアンゴルフクラブヘッドのフェイス部の裏面に樹脂プレートを装着したものがある。
【特許文献１】特開平９−２７６４５５号公報
【特許文献２】特許第２６６１７９６号公報
【特許文献３】特開２００５−１３７６３４号公報
【発明の開示】
【発明が解決しようとする課題】
【０００５】
しかしながら、上記のようなゴルフクラブヘッドにおいては、以下のような問題があった。
【０００６】
フェイス部を薄肉にした場合、一般的に、打球音が大きくなり、かつ減衰しにくくなるという傾向にある。これにより、ゴルファーの打感に悪影響を及ぼす場合がある。これに対し、フェイス部に減衰手段を設けることが考えられる。しかしながら、従来のアイアンゴルフクラブヘッドのフェイス部の裏面に設けられた樹脂プレートは薄肉のものであり、これでは、減衰手段として十分に機能することができない。
【０００７】
ところで、特開平９−２７６４５５号公報においては、ボールをヒットするフェイス面の下端からバック面側に亘ってソールが形成されるとともに、バック面の周囲に設けられたリブに囲まれて中央部に窪みが形成され、フェイス面の裏側で窪みの底となる個所にマグネシウム基合金のプレート状体を設けたアイアンゴルフクラブヘッドが開示されている。
【０００８】
しかしながら、マグネシウムは剛性が大きく、プレートの肉厚に関わらず、打球時のフェイス部のたわみにプレートが追随できず、繰り返しの打球によりはがれやすくなる。
【０００９】
また、特許第２６６１７９６号公報においては、前面に位置するストライクフェイスと、該フェイスの底部から後方側に広がるソールと、該フェイスの反対側に位置する背面と、少なくとも背面に設置されるとともに、粘弾性板を介して背面に結合された硬い板を備える消振手段とを具備し、硬い板は、１００００ＭＰａより大きいヤング率と０．５ｍｍから２．０ｍｍの厚さとを有しており、消振手段は、その周縁部を非拘束状態として設けられているゴルフクラブヘッドが開示されている。
【００１０】
しかしながら、この消振手段は、粘弾性板と硬い板とが協働することによって消振を行なうものであり、樹脂プレートによって打球音を減衰させることを目的とするものではない。
【００１１】
特開２００５−１３７６３４号公報においては、打球音の減衰効果を高める為に、比較的厚肉の樹脂プレートを使用している。さらに、厚肉の樹脂プレートの剛性を低くするとともに、繰り返し行われる打球時のフェイスの撓みに追随するように、樹脂プレート裏面に溝を入れている。
【００１２】
前記溝により、樹脂プレートの剥がれは減少したが、繰り返しの打球により、溝部に対応した樹脂プレートの表面に亀裂が入ったり、樹脂プレート表面の装飾用のメッキにひび割れが生じたりすることがあった。
【００１３】
本発明は、上記のような問題に鑑みてなされたものであり、本発明の目的は、打球音が減衰しやすいゴルフクラブヘッドを提供するにあたり、樹脂プレートの剥がれ、樹脂プレートに生ずる亀裂・ひび割れを生じ難くすることにある。
【課題を解決するための手段】
【００１４】
請求項１の発明は、フェイス部における打球部の厚みが１．０ｍｍ以上２．５ｍｍ以下のゴルフクラブヘッドであって、前記打球部の裏面に、厚みの最大値が２．５ｍｍ以上１０ｍｍ以下である少なくとも１枚の樹脂プレートを取り付けたゴルフクラブヘッドにおいて、前記打球部の裏面に前記樹脂プレートを、厚みが１．０ｍｍ以上３．０ｍｍ以下の両面テープで取り付けたゴルフクラブヘッドである。
【００１５】
本発明は、前記のように構成したので、打球音が減衰しやすいゴルフクラブヘッドを提供できるとともに、打球部裏面に取り付けた樹脂プレートの剥がれ、樹脂プレートに生ずる亀裂・ひび割れが生じ難くなる。
【００１６】
請求項２の発明は、前記両面テープが、複数毎を重ねたものである請求項１に記載のゴルフクラブヘッドである。
【００１７】
複数毎を重ねる両面テープの枚数を調整することで、製造誤差のあるアイアンゴルフクラブヘッドと樹脂プレートとを常に最適な状態で取り付けることが可能となる。
【００１８】
請求項３の発明は、前記樹脂プレートを、前記打球部の裏面に、両面テープ及び接着剤で取り付けた請求項１または請求項２に記載のゴルフクラブヘッドである。
【００１９】
樹脂プレートを、両面テープだけでなく、接着剤も加えて取り付けているので、樹脂プレートは打球部裏面からさらに剥がれ難くなる。
【００２０】
請求項４の発明は、前記両面テープの平面形状が、前記樹脂プレートの周縁が形成する平面形状よりも３．０ｍｍ〜５．０ｍｍ小さい大きさである請求項１から請求項３のいずれか１項に記載のゴルフクラブヘッドである。
【００２１】
両面テープの大きさ（平面形状）を、樹脂プレートの周縁が形成する大きさ（平面形状）よりも３．０ｍｍ以上小さくしておけば、両面テープの厚みが１．０ｍｍ以上３．０ｍｍ以下と比較的厚いものであるにもかかわらず、打球部裏面と樹脂プレートとの隙間から両面テープが見えず、外観上見栄えがよくなる。なお、両面テープの平面形状を５．０ｍｍ以上小さくしないのは、接着力の低下を防止するためである。
【００２２】
請求項５の発明は、前記樹脂プレート裏面に凹部を設け、該凹部の深さを前記両面テープの厚みの９０％以下とした請求項４記載のゴルフクラブヘッドである。
【００２３】
この場合は、両面テープは樹脂プレートの凹部にほとんど隠れることになり、打球部裏面と樹脂プレートとの隙間から両面テープがほとんど見えなくなり、外観上見栄えがさらによくなる。
【００２４】
請求項６の発明は、前記樹脂プレート裏面に凸部を設け、該凸部が打球部裏面の凹部に嵌合するようにした請求項１から請求項５のいずれか１項に記載のゴルフクラブヘッドである。
【００２５】
このように構成しておけば、樹脂プレート裏面の凸部が打球部裏面の凹部に嵌合することにより、打球部裏面上における樹脂プレートの位置決めがやりやすくなる。
【発明の効果】
【００２６】
本発明によれば、打球音が減衰しやすいゴルフクラブヘッドを提供できるとともに、打球部裏面に取り付けた樹脂プレートの剥がれ、樹脂プレートに生ずる亀裂・ひび割れを生じ難くさせることができる。
【発明を実施するための最良の形態】
【００２７】
以下に、本発明に基づくゴルフクラブヘッドの実施の形態について説明する。
【００２８】
図１は、本発明をアイアンゴルフクラブヘッドに実施した一例であり、アイアンゴルフクラブヘッドの打球部裏面側から見た図である。図２は、図１のA−A線断面図である。
【００２９】
本実施例では、アイアンゴルフクラブヘッド１のフェイス部における打球部３の厚みが１．０ｍｍ以上２．５ｍｍ以下（より好ましくは、１．５ｍｍ以上２．４ｍｍ以下程度、さらに好ましくは、１．８ｍｍ以上２．３ｍｍ以下程度）のゴルフクラブヘッドであって、打球部３の裏面４に、厚みの最大値が２．５ｍｍ以上１０ｍｍ以下（より好ましくは、２．５ｍｍ以上５．０ｍｍ以下程度、さらに好ましくは、３．０ｍｍ以上４．０ｍｍ以下程度）である少なくとも１枚の樹脂プレート５を取り付けたゴルフクラブヘッドにおいて、打球部３の裏面４に樹脂プレート５を、厚みが１．０ｍｍ以上３．０ｍｍ以下（より好ましくは、１．０ｍｍ以上２．５ｍｍ以下程度、さらに好ましくは、１．１ｍｍ以上２．０ｍｍ以下程度）の両面テープ６で取り付けている。
【００３０】
打球時のフェイス部のたわみを大きくして反発特性を高くするためには、フェイス部は薄い方がよく、打球時の繰り返し荷重に対する耐久性を確保するためには、フェイス部は厚い方がよい。フェイス部の厚みを上記の範囲とすることで、これらの要請の双方とも満足させることができる。フェイス部の厚みは、そのフェイス部に用いられる材料に応じて、上記の範囲内で変更される。
【００３１】
なお、図面ではアイアンゴルフクラブヘッドの例を示したが、これはウッドゴルフクラブヘッドであってもよい。また、アイアンゴルフクラブヘッドは、典型的には、フェイス部の裏面側にキャビティ７を有するものであるが、これ以外のものであってもよい。
【００３２】
ところで、打球時に発生する大きな打球音は、ゴルファーの打球感に悪影響を及ぼす場合がある。一般にフェイス部の厚みを薄くするほど、打球時のフェイス部の振幅が大きくなるため、打球音が大きくなり振動も長く続くので、上記の影響が大きくなる。
【００３３】
これに対し、本実施の形態に係るゴルフクラブヘッドにおいては、フェイス部における打球部の裏面に、樹脂プレートを取り付けている。樹脂プレートは、打球時に生じたフェイス部の振動を減衰させやすくする。具体的には、樹脂プレートを取り付けることにより、打球音を発生させる振動の損失係数を大きくすることができるので、打球音を減衰させる時間が短くなり、打球感が改善される。
【００３４】
そして、本発明では、打球部３の裏面４に樹脂プレート５を、厚みが１．０ｍｍ以上３．０ｍｍ以下の両面テープ６で取り付けているので、打球音が減衰しやすいだけでなく、打球部裏面に取り付けた樹脂プレート５の剥がれ、樹脂プレート５に生ずる亀裂・ひび割れが生じ難くなる。
【００３５】
ここで、本発明者らは、打球を３０００回繰り返す耐久試験を行った。
【００３６】
【表１】
2008125811.tif 000003
【００３７】
表１の試験において、０．４ｍｍから２．０ｍｍの範囲では、同じ厚みの両面テープの資料を２つずつ作成してテストを行った。また、試打したときの音は、ゴルファーが打球音を聞いてよい音と感ずるかどうかを○△×で評価したものである。
そして、この試験結果から、厚みが１．０ｍｍ以上３．０ｍｍ以下の両面テープ６が好ましいと結論した。
【００３８】
両面テープ６は、複数毎を重ねたものであってもよい。複数毎を重ねる両面テープ６の枚数を調整することで、製造誤差のあるアイアンゴルフクラブヘッド１と樹脂プレート５とを常に最適な状態で取り付けることが可能となる。また、厚みのある両面テープを特別に製作しなくとも、既存の両面テープを重ねて使用することで、両面テープ６の費用も抑えることができる。
【００３９】
樹脂プレート５は、打球部２の裏面３に、両面テープ６に加えて接着剤をも用いて取り付けることで、さらに剥がれ難くすることができる。
【００４０】
図３は、樹脂プレート５を、打球部２の裏面３に両面テープ６を用いて取り付ける側（裏面）から見た図である。
図３の実施例では、両面テープ６の平面形状を、樹脂プレート５の周縁５１が形成する平面形状よりも３．０ｍｍ〜５．０ｍｍ小さくしている。従って、厚みが１．０ｍｍ以上３．０ｍｍ以下と比較的厚い両面テープ５を使用しているにもかかわらず、打球部２の裏面３と樹脂プレート５との隙間から両面テープ６が見え難くなり、外観上見栄えがよくなる。
【００４１】
図４は、図２と同じ位置におけるアイアンゴルフクラブヘッド１の断面図で、樹脂プレート５の形状が異なる以外は図２と同じである。
本実施例における樹脂プレート５は、その裏面が凹部５２となっている。そして、凹部５２の深さを両面テープ６の厚みの９０％以下としている。
【００４２】
この場合、両面テープ６は樹脂プレート５の凹部５２にほとんど隠れてしまい、打球部２の裏面３と樹脂プレート５との隙間から両面テープ６はほとんど見えなくなるので、外観上見栄えがさらによくなる。
なお、樹脂プレート５の凹部５２の深さが両面テープ６の厚みの９０％を超えると、樹脂プレート６と打球部２の裏面３との取り付けが確実でなくなるので好ましくない。
【００４３】
図５は、樹脂プレート５を裏面から見た図で、図３とは別の実施例を示している。
図５では、樹脂プレート５の裏面に凸部５３を設けている。打球部２の裏面３には、凸部５３の対応する位置に凹部が設けられている（図示せず）。そして、樹脂プレート５の凸部５３が、打球部２の裏面３に嵌合することにより、樹脂プレート５のアイアンゴルフクラブヘッド１のキャビティ７内における位置決めをやりやすくしている。
なお、両面テープ６には、樹脂プレート５の凸部５３に対応する位置に、孔６１を設けておくものである。
【図面の簡単な説明】
【００４４】
【図１】本発明をアイアンゴルフクラブヘッドに実施した一例である。
【図２】図１のA−A線断面図である。
【図３】樹脂プレートを裏面から見た図である。
【図４】図１のA−A線断面図の他の実施例である。
【図５】樹脂プレートを裏面から見た図の他の実施例である。
【符号の説明】
【００４５】
１    アイアンゴルフクラブヘッド
２    打球部
３    裏面
５    樹脂プレート
５１  縁部
５２  凹部
５３  凸部
６    両面テープ
６１  孔
７    キャビティ
【図１】
2008125811.tif 000004
【図２】
2008125811.tif 000005
【図３】
2008125811.tif 000006
【図４】
2008125811.tif 000007
【図５】
2008125811.tif 000008